(57)【特許請求の範囲】
【請求項１】
施錠対象に取り付けられる外筒と、
前記外筒に対して交換挿入可能に設けられ、鍵穴に挿入される鍵に応じて外筒内で回転可能な状態になり、施錠、または解錠を行う内筒と、
を有する錠前装置であって、
前記内筒における、前記外筒に挿入された状態で視認不可能な箇所に、対応する鍵に応じた識別表示がなされた識別表示部が設けられていることを特徴とする錠前装置。
【請求項２】
請求項１の錠前装置であって、
前記識別表示は、刻印および印刷の少なくとも一方であることを特徴とする錠前装置。
【請求項３】
請求項１または請求項２の錠前装置であって、
前記内筒は、解錠状態のときに、前記外筒から抜き出して他の内筒に交換可能に構成されていることを特徴とする錠前装置。
【請求項４】
請求項３の錠前装置であって、
前記内筒は、所定のマスターキーによって、解錠状態、および前記外筒から抜き出し可能な状態にされ得るように構成されていることを特徴とする錠前装置。
【請求項５】
請求項１から請求項４のうち何れか１項の錠前装置であって、
前記識別表示部は、前記内筒の側面に設けられていることを特徴とする錠前装置。
【請求項６】
請求項１から請求項５のうち何れか１項の錠前装置であって、
前記識別表示は、対応する鍵を示す情報がコード化された表示であることを特徴とする錠前装置。
【請求項７】
請求項１から請求項６のうち何れか１項の錠前装置であって、
前記識別表示は、表示内容と、表示位置または表示姿勢との組み合わせに応じて、対応する鍵が識別可能にされていることを特徴とする錠前装置。
【請求項８】
請求項１から請求項７のうち何れか１項の錠前装置に用いられる錠前装置の内筒。
【発明の詳細な説明】
【技術分野】
【０００１】
本発明は、オフィス機器等の施錠に用いられる錠前装置、および錠前装置の内筒に関するものである。
【背景技術】
【０００２】
従来、オフィス機器等の施解錠の対象に固定された外筒と、この外筒内で回転する内筒（シリンダ）とから成り、内筒の鍵穴に鍵を挿入し回転させることで施解錠を行う錠前装置（シリンダ錠）が知られている（例えば、特許文献１参照。）。このような錠前装置には、通常、対応する施解錠可能な鍵を識別するための鍵番号等が割り振られている。この鍵番号等は、例えば鍵の把持部に刻印されるとともに、錠前装置の表面における鍵穴付近に刻印され、錠前装置と鍵との対応関係を容易に判別できるようになっている。
【先行技術文献】
【特許文献】
【０００３】
【特許文献１】特開２００８−０５７１６７号公報
【発明の概要】
【発明が解決しようとする課題】
【０００４】
上記のように鍵番号等が錠前装置に割り振られ、鍵の把持部や錠前装置の表面に刻印されることによって、鍵の管理は容易になるものの、このような錠前装置は、セキュリティを高くすることが困難な場合がある。すなわち、鍵番号によって対応する鍵が決まるので、もし、第三者が、鍵番号を特定してメーカから鍵を入手することが可能な場合などには、その第三者が解錠できるおそれがあり、セキュリティを確保できないことが考えられる。
【０００５】
本発明は、上記の点に鑑み、錠前装置の鍵の管理を容易にしつつ、セキュリティを高めることも容易にできるようにすることを目的としている。
【課題を解決するための手段】
【０００６】
第１の発明は、
施錠対象に取り付けられる外筒と、
前記外筒に対して交換挿入可能に設けられ、鍵穴に挿入される鍵に応じて外筒内で回転可能な状態になり、施錠、または解錠を行う内筒と、を有する錠前装置であって、
前記内筒における、前記外筒に挿入された状態で視認不可能な箇所に、対応する鍵に応じた識別表示がなされた識別表示部が設けられていることを特徴とする。
【０００７】
これにより、錠前装置に対応する鍵に応じた識別表示がなされることによって鍵の管理を容易に行えるとともに、そのような識別表示が、内筒が外筒に挿入された状態では視認不可能な箇所になされることによって、その識別表示を第三者が不用意に視認して鍵を入手したりすることを容易に防止することができる。
【発明の効果】
【０００８】
本発明によれば、錠前装置の鍵の管理を容易にしつつ、セキュリティを高めることも容易にできる。
【図面の簡単な説明】
【０００９】
【図１】鍵１０の概略を示す側面図である。
【図２】鍵１０が用いられる錠前装置の概略を示す斜視図である。
【図３】タンブラ４０の位置における内筒２０の縦断面図である。
【発明を実施するための形態】
【００１０】
以下、本発明の実施形態を図面に基づいて詳細に説明する。
【００１１】
図１は、本実施形態において使用される鍵１０の概略を示す側面図である。鍵１０は、把持部１３と、差込部１１とを有し、差込部１１の上面側および下面側には、それぞれ鍵溝１２が刻まれている。本実施形態では、鍵溝１２は一方の面側あたり７つ刻まれている。それぞれの鍵溝１２は、１番から３番の３段階の深さのうち何れかを有する（以下、鍵溝１２の深さを示す番号を、鍵溝番号と称する。）。例えば、図１に示される鍵１０の鍵溝１２においては、把持部１３に近い順の鍵溝番号の並びは、１−１−３−２−２−１−３である。また、後述する内筒２０交換用の特別な鍵１０には、差込部１１の先端が長く形成された延長部１１ａが設けられている。なお、本実施形態においては、鍵溝１２が７つ刻まれ、また、３段階の鍵溝１２の深さを採用しているが、これらの数や段数は、用途などに応じて適宜決定されればよい。
【００１２】
図２は、上記鍵１０が用いられる錠前装置の概略を示す斜視図である。錠前装置は、上記鍵１０が挿入されて回転する内筒２０と、上記内筒２０を回転可能に保持し、施解錠を行う対象に固定される外筒３０とを備えて構成されている。
【００１３】
内筒２０には、鍵１０が挿入される鍵穴２１と、鍵１０の各鍵溝１２に対応する位置に配置された７つのスロット２２とが形成されている。各スロット２２には、後述するタンブラ４０または擬似タンブラ５０が摺動自在に設けられている。内筒２０には、また、円周方向に設けられた抜き出し阻止用係止溝２３と、その溝底に設けられた係止解除孔２４とが形成されている。上記係止解除孔２４には、係止解除片６０が摺動自在に設けられている。この係止解除片６０には、内筒２０交換用の鍵１０の延長部１１ａが挿入される延長部挿入穴６０ａが形成され、上記鍵１０の延長部１１ａの挿入により、係止解除片６０が上方に押し上げられるようになっている。内筒２０の側面には、例えば微小なドットパターンの削り出しによって、鍵１０と錠前装置との組み合わせに対応する識別表示の刻印２５がなされている。
【００１４】
一方、上記内筒２０が挿入されて保持される外筒３０は、円筒状の金属部材であり、内壁の互いに上下に対向する位置に、上記タンブラ４０が係合して内筒２０の回転を阻止する係合溝３１が形成されている。また、鍵１０の挿入方向側部分の円筒壁に係止片挿通孔３２が形成され、係止片３３が摺動自在に設けられている。係止片３３は、スプリング３４によって内筒２０の方向に向けて付勢され、内筒２０の抜き出し阻止用係止溝２３に嵌合して、内筒２０を外筒３０から抜き出せないように係止するようになっている。そして、前記のように内筒２０交換用の鍵１０が鍵穴２１に挿入されると、鍵１０の延長部１１ａが係止解除片６０を押し上げ、係止解除片６０は係止片３３を押し上げることにより、係止片３３と抜き出し阻止用係止溝２３との嵌合が解除され、内筒２０は外筒３０から引き抜き得るようになる。
【００１５】
図３は、上記内筒２０の各スロット２２に摺動自在に設けられるタンブラ４０の構成を説明するための内筒２０の縦断面図である。タンブラ４０は、上部ストッパ４１、下部ストッパ４２、スプリング４３、鍵１０が挿通される鍵挿通孔４４、および鍵溝１２に当接する鍵溝当接部４５を有する。
【００１６】
上部ストッパ４１、および下部ストッパ４２は、それぞれタンブラ４０の上限位置、および下限位置を規制するものである。スプリング４３は、上部ストッパ４１と、内筒２０の内面下部付近のばね座との間に設けられ、タンブラ４０を上方に付勢するようになっている。
【００１７】
鍵溝当接部４５は、各タンブラ４０の位置に対応する鍵溝１２の深さに応じた高さ位置を有するように設定されている。すなわち、鍵１０が鍵穴２１に挿入されると、各タンブラ４０は、対応する位置の鍵溝１２の深さと、各鍵溝当接部４５の高さとに応じた距離だけ、スプリング４３の付勢力に抗して内筒２０内に引き込まれる。この引き込み量が所定量より小さいと、タンブラ４０の上端部と外筒３０の上側の係合溝３１とが係合状態に保たれ、内筒２０の回転が阻止されたままになる。一方、引き込み量が所定量より大きいと、タンブラ４０の下端部が外筒３０の下側の係合溝３１と係合状態になり、やはり内筒２０の回転が阻止される。そして、適切な鍵１０が鍵穴２１に挿入されたときに、全てのタンブラ４０が所定の距離だけ内筒２０内に引き込まれ、タンブラ４０の上端部および下端部が何れも外筒３０の係合溝３１との係合を解除され、内筒２０が回転可能な状態にされるようになっている。
【００１８】
ここで、本実施形態においては、１カ所のスロット２２には、タンブラ４０に代えて擬似タンブラ５０が設けられている。この擬似タンブラ５０は、対応する位置の鍵溝１２の深さに係わらず、常に上端部および下端部が内筒２０から突出しないように構成されている。より詳しくは、上部ストッパの位置は、擬似タンブラ５０の上限位置を上端部が内筒２０から上方に突出しない位置に規制するように設定されている。また、鍵溝当接部の高さ位置は、対応する鍵溝１２の深さが最も浅い場合でも、擬似タンブラ５０の下端部が内筒２０から下方に突出しないように設定されている。このような擬似タンブラ５０が設けられている場合には、対応する位置の鍵溝１２の深さが異なる何れの鍵でも、共通に施解錠可能な錠前装置を構成することができる。なお、同様の作用効果を得るためには、擬似タンブラ５０を固定的に設けてスプリングを省略したり、タンブラ自体の設置を省略するなどしてもよい。
【００１９】
上記のように、内筒２０の側面に、鍵１０と錠前装置との組み合わせに対応する識別表示の刻印２５がなされていることによって、錠前装置に対応する鍵１０を探し出したりメーカから入手したりすることが容易にできる。しかも、その刻印２５は、内筒２０の側面、すなわち、内筒２０が外筒３０に挿入された状態では視認不可能な箇所になされているので、内筒２０交換用の鍵１０によって内筒２０を外筒３０から引き抜くことのできる者だけが、視認することができる。それゆえ、不用意に第三者が鍵１０を入手することなどを容易に防止することができ、セキュリティを高く保つことが容易にできる。
【００２０】
なお、上記の例では、内筒２０の側面に刻印２５がなされることによって錠前装置と鍵１０との組み合わせに対応する識別表示の表示がなされている例を示したが、これに限らず、不滅インク等による印刷や、ラベルの貼り付けなどによって表示されるようにしてもよい。これらによって、上記のような識別表示を容易に行うことができる。
【００２１】
また、識別表示がなされる位置は、内筒の側面に限らず、外筒に挿入された状態で視認不可能な箇所であればよく、例えば内筒の底面や、フランジの裏面、表示用に形成された突出部や張り出し部、また、これらを組み合わせた箇所などであってもよい。
【００２２】
また、内筒交換用の鍵は、特定の錠前装置に対応するものに限らず、マスターキーであってもよく、それによって、１つの鍵で複数の錠前装置の施開錠をできるとともに、内筒の交換や鍵の管理をすることができる。
【００２３】
また、表示される情報の形式は、通常、肉眼で見て判りやすい表示であることが好ましいが、特に限定はされず、対応する鍵を示す情報が圧縮等のコード化された表示や、パターン化、図形化された表示などであってもよく、これによって表示領域の大きさが小さくても足りるようにすることなどが容易にできる。
【００２４】
また、識別表示は１箇所に表示されるのに限らず、複数の箇所に分散して表示されるようにしたり、表示内容と、表示位置または表示姿勢との組み合わせなどに応じて、対応する鍵が識別可能にされるなどしてもよい。これによって、やはり、表示領域の大きさの縮小や表示の自由度、多様性、冗長度の増大を図ることなどが容易にできる。
【００２５】
また、錠前装置の施開錠方式や内筒の交換方式などは、上記に限定されず、用途等に応じて種々適用可能である。
【符号の説明】
【００２６】
１０      鍵
１１      差込部
１１ａ    延長部
１２      鍵溝
１３      把持部
２０      内筒
２１      鍵穴
２２      スロット
２３      抜き出し阻止用係止溝
２４      係止解除孔
２５      刻印
３０      外筒
３１      係合溝
３２      係止片挿通孔
３３      係止片
３４      スプリング
４０      タンブラ
４１      上部ストッパ
４２      下部ストッパ
４３      スプリング
４４      鍵挿通孔
４５      鍵溝当接部
５０      擬似タンブラ
６０      係止解除片
６０ａ    延長部挿入穴
【図１】
0006598666.tif 000002
【図２】
0006598666.tif 000003
【図３】
0006598666.tif 000004